(57)【特許請求の範囲】
【請求項１】
機器の非動作状態に関わりなく商用ＡＣ電源が供給されている通電状態を表示するＡＣ電源通電認識表示手段と、その通電状態において表示される常時表示内容及び機器動作状態に表示される動作表示内容をマイコンの指令により表示するＬＣＤ表示器と、機器を非動作状態から動作状態に切り換える電源スイッチ回路と、当該電源スイッチ回路がＯＮ状態で電源電圧が供給されることにより前記ＬＣＤ表示器を照明するＬＣＤ表示器照明手段とを有する表示装置であって、
前記ＬＣＤ表示器を、前記電源スイッチ回路がＯＦＦ状態である機器の非動作状態において常時表示内容を照明するためのＬＣＤ表示器照明用ＬＥＤを備えており、
電源端子間において、前記ＡＣ電源通電認識表示手段を構成する表示用ＬＥＤと、前記ＬＣＤ表示器照明用ＬＥＤと、電流制限抵抗とを直列に接続し、通電状態では両ＬＥＤが点灯可能な同一の電流によって常時点灯可能となるように当該電流制限抵抗の値を設定し、
機器の非動作状態における通電状態において、前記ＬＣＤ表示器照明手段がＯＦＦ状態にもかかわらず、ＡＣ電源通電認識表示手段を構成する表示用ＬＥＤと共にＬＣＤ表示器照明用ＬＥＤを点灯させてＬＣＤ表示器を照明して常時表示内容を照明表示するように構成したことを特徴とする表示装置。
【請求項２】
請求項１において、ＬＣＤ表示器照明手段の照明輝度を、前記ＬＣＤ表示器照明用ＬＥＤによる照明よりも高輝度になるように設定したことを特徴とする表示装置。
【請求項３】
機器の非動作時において商用ＡＣ電源が供給されている通電状態を表示するＡＣ電源通電認識表示手段を構成する表示用ＬＥＤと、機器の非動作時において表示される常時表示内容をマイコンの指令により表示するＬＣＤ表示器を照明する照明用ＬＥＤと、機器を非動作状態から動作状態に切り換える電源スイッチ回路と、当該電源スイッチ回路の切り換えに対応して前記両ＬＥＤをＯＮ／ＯＦＦするスイッチング回路と、機器動作時において表示される前記ＬＣＤ表示器を照明するＬＣＤ表示器照明手段を備えた表示装置であって、
電源端子間において、前記ＡＣ電源通電認識表示手段を構成する表示用ＬＥＤと、前記ＬＣＤ表示器照明用ＬＥＤと、電流制限抵抗とを直列に接続し、通電状態では両ＬＥＤが点灯可能な同一の電流によって常時点灯可能となるように当該電流制限抵抗の値を設定し、
機器動作時は前記照明手段でＬＣＤ表示器の照明を行い、機器非動作時には前記照明手段を消灯して前記ＡＣ電源通電認識表示手段の表示用ＬＥＤにより通電表示を行うと共に、照明用ＬＥＤによりＬＣＤ表示器を照明するように構成したことを特徴とする表示装置。
【発明の詳細な説明】
【０００１】
【発明の属する技術分野】
本発明は、機器の非動作状態の商用ＡＣ電源通電状態において表示される常時表示内容を有するＬＣＤ表示器を照明する照明手段を備えた表示装置に関するものである。
【０００２】
【従来の技術】
従来、オーディオ，ビジュアル機器等において、マイコンで制御された信号を表示するＬＣＤ表示器を有するものは、広く採用されている。
【０００３】
これらには、機器が商用ＡＣ電源に接続された通電状態であって、動作待機状態（非動作状態）で、例えば時刻表示等の常時表示内容を表示するＬＣＤ表示器を有する表示装置を備えたもの、そのＬＣＤ表示器の照明手段としてランプやＬＥＤ等を用いたものが知られている。
【０００４】
そして、このような表示装置においては、非動作状態（ＰＯＷＥＲ／ＯＦＦ）の通電状態においてもＬＣＤ表示内容を認識しやすいように、ＬＣＤ表示器の照明を点灯させているものもある。また、非動作状態（ＰＯＷＥＲ／ＯＦＦ）の通電状態における消費電力を削減するために、ＬＣＤ表示器の照明用ランプやＬＥＤ等を消灯する表示装置もある。
【０００５】
【発明が解決しようとする課題】
このような従来の手段では、前者の場合は消費電力が大きく、後者の場合はＬＣＤ表示内容の認識がしにくいという問題があった。
【０００６】
本発明は、ＬＣＤ表示器の表示内容を認識しやすいように非動作状態の通電状態でも照明させているにもかかわらず、消費電力は従来の非動作状態の照明を消灯させている表示装置と同等となる表示装置を提供することを目的としてなされたものである。
【０００７】
【課題を解決するための手段】
この課題を解決するために本発明の表示装置は、機器の非動作状態に関わりなく商用ＡＣ電源が供給されている通電状態を表示するＡＣ電源通電認識表示手段と、その通電状態において表示される常時表示内容及び機器動作状態に表示される動作表示内容をマイコンの指令により表示するＬＣＤ表示器と、機器を非動作状態から動作状態に切り換える電源スイッチ回路と、当該電源スイッチ回路がＯＮ状態で電源電圧が供給されることにより前記ＬＣＤ表示器を照明するＬＣＤ表示器照明手段とを有する表示装置であって、前記ＬＣＤ表示器を、前記電源スイッチ回路がＯＦＦ状態である機器の非動作状態において常時表示内容を照明するためのＬＣＤ表示器照明用ＬＥＤを備えており、電源端子間において、前記ＡＣ電源通電認識表示手段を構成する表示用ＬＥＤと、前記ＬＣＤ表示器照明用ＬＥＤと、電流制限抵抗とを直列に接続し、通電状態では両ＬＥＤが点灯可能な同一の電流によって常時点灯可能となるように当該電流制限抵抗の値を設定し、機器の非動作状態における通電状態において、前記ＬＣＤ表示器照明手段がＯＦＦ状態にもかかわらず、ＡＣ電源通電認識表示手段を構成する表示用ＬＥＤと共にＬＣＤ表示器照明用ＬＥＤを点灯させてＬＣＤ表示器を照明して常時表示内容を照明表示するように構成したものである。
【０００８】
これにより、機器の非動作状態における通電状態のＬＣＤ表示器照明手段がＯＦＦ状態において、ＬＣＤ表示器の常時表示内容を認識しやすいようにＬＣＤ表示器照明用ＬＥＤを点灯させて照明させているにもかかわらず、電流制限抵抗により両ＬＥＤは通電状態では両ＬＥＤが点灯可能な同一の電流によって常時点灯可能であり、消費電力は、従来の非動作状態においてＬＣＤ表示の照明を消灯させている表示装置と同等となる表示装置が得られる。
【０００９】
【発明の実施の形態】
本発明の第１の発明は、機器の非動作状態に関わりなく商用ＡＣ電源が供給されている通電状態を表示するＡＣ電源通電認識表示手段と、その通電状態において表示される常時表示内容及び機器動作状態に表示される動作表示内容をマイコンの指令により表示するＬＣＤ表示器と、機器を非動作状態から動作状態に切り換える電源スイッチ回路と、当該電源スイッチ回路がＯＮ状態で電源電圧が供給されることにより前記ＬＣＤ表示器を照明するＬＣＤ表示器照明手段とを有する表示装置であって、前記ＬＣＤ表示器を、前記電源スイッチ回路がＯＦＦ状態である機器の非動作状態において常時表示内容を照明するためのＬＣＤ表示器照明用ＬＥＤを備えており、電源端子間において、前記ＡＣ電源通電認識表示手段を構成する表示用ＬＥＤと、前記ＬＣＤ表示器照明用ＬＥＤと、電流制限抵抗とを直列に接続し、通電状態では両ＬＥＤが点灯可能な同一の電流によって常時点灯可能となるように当該電流制限抵抗の値を設定し、機器の非動作状態における通電状態において、前記ＬＣＤ表示器照明手段がＯＦＦ状態にもかかわらず、ＡＣ電源通電認識表示手段を構成する表示用ＬＥＤと共にＬＣＤ表示器照明用ＬＥＤを点灯させてＬＣＤ表示器を照明して常時表示内容を照明表示するように構成したことを特徴とするものであり、機器の非動作状態における通電状態のＬＣＤ表示器照明手段がＯＦＦ状態において、ＬＣＤ表示器の常時表示内容を認識しやすいように、ＬＣＤ表示器照明用ＬＥＤを点灯させて照明させているにもかかわらず、電流制限抵抗により両ＬＥＤは通電状態では両ＬＥＤが点灯可能な同一の電流によって常時点灯可能であり、消費電力は、従来の機器の非動作状態の通電状態においてＬＣＤ表示の照明を消灯させてＡＣ電源通電認識用ＬＥＤのみを点灯させている表示装置と同一という作用を有する。
【００１０】
また、第２の発明は、機器の非動作時において商用ＡＣ電源が供給されている通電状態を表示するＡＣ電源通電認識表示手段を構成する表示用ＬＥＤと、機器の非動作時において表示される常時表示内容をマイコンの指令により表示するＬＣＤ表示器を照明する照明用ＬＥＤと、機器を非動作状態から動作状態に切り換える電源スイッチ回路と、当該電源スイッチ回路の切り換えに対応して前記両ＬＥＤをＯＮ／ＯＦＦするスイッチング回路と、機器動作時において表示される前記ＬＣＤ表示器を照明するＬＣＤ表示器照明手段を備えた表示装置であって、電源端子間において、前記ＡＣ電源通電認識表示手段を構成する表示用ＬＥＤと、前記ＬＣＤ表示器照明用ＬＥＤと、電流制限抵抗とを直列に接続し、通電状態では両ＬＥＤが点灯可能な同一の電流によって常時点灯可能となるように当該電流制限抵抗の値を設定し、機器動作時は前記照明手段でＬＣＤ表示器の照明を行い、機器非動作時には前記照明手段を消灯して前記ＡＣ電源通電認識表示手段の表示用ＬＥＤにより通電表示を行うと共に、照明用ＬＥＤによりＬＣＤ表示器を照明するように構成したことを特徴とするものであり、機器動作時は前記照明手段でＬＣＤ表示器の照明を行い、前記両ＬＥＤを前記スイッチング回路にてＯＦＦ状態にし、機器非動作時は前記の照明手段を消灯し、前記両ＬＥＤを前記スイッチング回路にてＯＮ状態にし商用ＡＣ電源が供給されている通電状態を表示するＡＣ電源通電認識用照明用ＬＥＤとＬＣＤ表示内容を認識しやすいように照明するＬＥＤを点灯させているにもかかわらず、電流制限抵抗により両ＬＥＤは通電状態では両ＬＥＤが点灯可能な同一の電流によって常時点灯可能であり、消費電力は従来のＡＣ電源通電認識用照明用ＬＥＤのみと同一という作用を有する。
【００１１】
以下本発明の実施の形態について、図１から図３を用いて説明する。
（実施の形態１）
図１は本発明の第１の実施の形態における表示装置の一部ブロックで示す回路図、図２は機器の外観を示す斜視図であり、図１において、１はＬＣＤ表示器を備えた機器である。２はその機器１用の商用ＡＣ電源、３は機器の電源トランス、４はＡＣ電源の整流用ダイオードブリッジ、５は整流コンデンサであり、以上の２〜５の構成により、電源回路が構成されており、機器１の図示しない電源プラグを介して商用ＡＣ電源２に接続されることにより、電源が供給されるようになっている。
【００１２】
６はＡＣ通電表示用ＬＥＤ、７は通電状態におけるＬＣＤ表示器照明用ＬＥＤ、８は両ＬＥＤ６，７の電流制限抵抗であり、このＬＥＤ６，７と抵抗８の直列回路は電源端子Ａ，Ｂ間に接続されており、商用ＡＣ電源２に接続された通電状態ではＬＥＤ６，７は常時点灯されている。９は電源スイッチ回路であり、この電源スイッチ回路９はＰＯＷＥＲ・ＯＮ／ＯＦＦ用押しボタンスイッチ９ａの操作によりＯＮ／ＯＦＦされるものである。１０はＰＯＷＥＲ・ＯＮ（動作状態）時のＬＣＤ表示器照明用ランプであり、このランプ１０は電源スイッチ回路９がＯＮの時のみ点灯するものである。つまり、ランプ１０間の端子ａ，ｂは、電源スイッチ回路９が閉じられる動作状態における電源端子となっている。
【００１３】
１１は機器１の機能動作の回路部で、端子ａ，ｂ間を電源とするものであり、電源スイッチ回路９のＯＮにより動作可能となるものである。１２はマイクロコンピュータ（以下マイコンと称する）、１３はマイコン１２の電源となるレギュレータ、１４はマイコンで制御された信号を表示するＬＣＤ表示器であり、レギュレータ１３は電源端子Ａ，Ｂ間から電源を供給されているため、電源スイッチ回路９のＯＦＦ状態の通電状態でも動作してマイコン１２に電力を供給している。そして、ＬＣＤ表示器１４は、マイコン１２の動作指令により、例えば、「時刻」等の常時表示内容を表示している。また、マイコン１２には、機器の機能動作回路部１１が非動作状態でも電源が供給されているため、押しボタンスイッチ９ａが操作されることにより、所定の指令を発して電源スイッチ回路９をＯＮ状態に切り換え、端子ａ，ｂ間に電源を供給することとなる。
【００１４】
図２に示すように、機器１の正面に、前述のＬＣＤ表示器１４の表示部１４ａが配置され、その表示部１４ａに「時刻」等の常時表示内容１４ｂが表示されている。また、機器１の正面には、押しボタンスイッチ９ａの押しボタン９ｂ、ＡＣ通電表示用ＬＥＤ６の表示窓６ａが配置されている。
【００１５】
また、図３は前述のＬＣＤ表示器１４とそのバック照明用ランプ１０のランプハウス部分を透視して示す斜視図である。同図において、１５はランプハウス、１６は光を均一に拡散させる目的の拡散板であり、ＬＣＤ表示器１４はランプハウス１５の前部に配置され、その後方に拡散板１６が配置されている。ランプハウス１５の後部には、ＬＣＤ表示器照明用ランプ１０とＬＣＤ表示器照明用ＬＥＤ７が配置されており、ランプ１０の点灯により拡散板１６を介してＬＣＤ表示器１４全体の均一な照明を高輝度で行い、ＬＥＤ７の点灯によりＬＣＤ表示器１４の表示部１４ａ中の常時表示内容１４ｂ部分を中心とする照明を行う。
【００１６】
以上のように構成された実施の形態１の表示装置について、以下その動作について説明する。
【００１７】
まず、機器１が商用ＡＣ電源２に接続され、電源が供給される通電状態においては、電源トランス３で電圧変換され、整流用ダイオードブリッジ４と整流コンデンサ５とでＤＣ電圧に変換され、その電圧が供給されることにより、マイコン１２はレギュレータ１３により常に動作状態にあり、ＬＣＤ表示器１４を表示させる指令状態となっており、ＬＣＤ表示器１４は常時表示内容１４ｂである「時刻」を表示している。また、この機器１の非動作状態の通電状態では、ＬＥＤ６，７及び抵抗８の回路に電源が供給されるので、ＬＥＤ６，７が点灯状態にあり、従ってＡＣ通電表示用ＬＥＤ６の表示窓６ａが点灯表示状態にあると共に、ＬＣＤ表示器１４の常時表示内容１４ｂ部分を中心とするバック照明が行われることとなる。この通電状態においては、ＬＥＤ６と７は直列に接続されているため同じ電流が流れており、ＬＣＤ表示器照明用ＬＥＤ７がない場合でも電流制限抵抗８を大きくしてＡＣ通電表示用ＬＥＤ６に同じ電流を流す必要があるため、この直列回路で消費される電力はＬＣＤ表示器照明用ＬＥＤ７の有無にかかわらず同じである。
【００１８】
次に、押しボタン９ｂを押して押しボタンスイッチ９ａをＯＮ（閉）にすると、マイコン１２の指令により電源スイッチ回路９がＯＮとなり、ＬＣＤ表示器照明用ランプ１０が点灯して、ＬＣＤ表示器１４は照明用ランプ１０の光と、より均一に光らせるためのバック照明用ランプハウス１５および拡散板１６により後ろから照明され、かつ機器回路１１にも電源が供給されて動作状態となる。このとき、ＬＣＤ表示器照明用ＬＥＤ７より照明用ランプ１０の方が高輝度で十分に明るいため、ＬＥＤ７の照明色はランプ１０の照明色に隠されてしまいＬＥＤ７が点灯していてもムラなく照明することができる。
【００１９】
以上のように本実施の形態によれば、ＡＣ電源通電認識用表示手段としての表示用ＬＥＤとＬＣＤ表示内容を認識しやすいように照明する照明用ＬＥＤを点灯させているにもかかわらず、消費電力は従来のＡＣ電源通電認識用照明用ＬＥＤのみと同一という作用を有する。
【００２０】
（実施の形態２）
図４は本発明の第２の実施の形態における表示装置の照明に関する回路図を示し、図４は図１における変更部分のみを示しており、また図４において前述の図１と同一の符号は同一のものを示している。図４において、１７はＡＣ通電用ＬＥＤ６とＬＣＤ表示器照明用ＬＥＤ７をＯＮ／ＯＦＦするスイッチングトランジスタ、１８はトランジスタ１７のベース電流を制御するための抵抗、１９はトランジスタ１７をＯＮ／ＯＦＦするためのスイッチングトランジスタ、２０，２１はトランジスタ１９のベース電流を制御するための抵抗である。
【００２１】
この実施の形態２の構成の表示装置について、図４と図１から３を用いて、以下その動作について説明する。
【００２２】
まず、機器１が商用ＡＣ電源２に接続され、電源が供給される通電状態においては、図１と同様に、電源トランス３で電圧変換され、整流用ダイオードブリッジ４と整流コンデンサ５とでＤＣ電圧に変換され、その電圧が供給されることにより、マイコン１２はレギュレータ１３により常に動作状態にあり、ＬＣＤ表示器１４を表示させる指令状態となっており、ＬＣＤ表示器１４は常時表示内容１４ｂである「時刻」を表示している。また、この機器１の非動作状態の通電状態では、抵抗１８を通じてトランジスタ１７にベース電流が流れトランジスタ１７はＯＮ状態となる。従って、図１と同様に、ＬＥＤ６，７が点灯状態にあり、表示窓６ａが点灯表示状態にあると共に、ＬＣＤ表示器１４の常時表示内容１４ｂ部分を中心とするバック照明が行われることとなる。この通電状態においても、図１と同様に、直列回路で消費される電力はＬＣＤ表示器照明用ＬＥＤ７の有無にかかわらず同じである。
【００２３】
次に、押しボタン９ｂを押して押しボタンスイッチ９ａをＯＮ（閉）にすると、マイコン１２の指令により電源スイッチ回路９がＯＮとなり、ＬＣＤ表示器照明用ランプ１０が点灯して、同時に抵抗２０を通じてトランジスタ１９にベース電流が流れて当該トランジスタ１９がＯＮとなり、トランジスタ１７はベースがアースされるためＯＦＦとなる。従って、ＡＣ通電用ＬＥＤ６とＬＣＤ表示器照明用ＬＥＤ７はその時点で消灯し、ＡＣ通電用ＬＥＤ６とＬＣＤ表示器照明用ＬＥＤ７の電流は０となり消費電力が少なくなる。また、ＬＣＤ表示器１４は照明用ランプ１０の光と、より均一に光らせるためのバック照明用ランプハウス１５および拡散板１６により後ろから照明され、かつ機器回路１１にも電源が供給されて動作状態となる。
【００２４】
以上のように本実施の形態によれば、ＬＣＤ表示器照明用ＬＥＤ７の光量が大きく照明用ランプ１０による照明効果に影響を与える場合でも、同時点灯しなくなるので照明ムラ等悪影響の回避に役立つこととなる。
【００２５】
【発明の効果】
以上のように本発明によれば、機器の非動作状態に関わりなく商用ＡＣ電源が供給されている通電状態を表示するＡＣ電源通電認識表示手段と、その通電状態において表示される常時表示内容及び機器動作状態に表示される動作表示内容をマイコンの指令により表示するＬＣＤ表示器と、機器を非動作状態から動作状態に切り換える電源スイッチ回路と、当該電源スイッチ回路がＯＮ状態で電源電圧が供給されることにより前記ＬＣＤ表示器を照明するＬＣＤ表示器照明手段とを有する表示装置であって、前記ＬＣＤ表示器を、前記電源スイッチ回路がＯＦＦ状態である機器の非動作状態において常時表示内容を照明するためのＬＣＤ表示器照明用ＬＥＤを備えており、電源端子間において、前記ＡＣ電源通電認識表示手段を構成する表示用ＬＥＤと、前記ＬＣＤ表示器照明用ＬＥＤと、電流制限抵抗とを直列に接続し、通電状態では両ＬＥＤが点灯可能な同一の電流によって常時点灯可能となるように当該電流制限抵抗の値を設定し、機器の非動作状態における通電状態において、前記ＬＣＤ表示器照明手段がＯＦＦ状態にもかかわらず、ＡＣ電源通電認識表示手段を構成する表示用ＬＥＤと共にＬＣＤ表示器照明用ＬＥＤを点灯させてＬＣＤ表示器を照明して常時表示内容を照明表示するように構成したことにより、機器の非動作状態における通電状態のＬＣＤ表示器照明手段がＯＦＦ状態において、ＡＣ電源通電認識表示手段としてのＬＥＤとＬＣＤ表示器の常時表示内容を認識しやすいようにＬＣＤ表示器照明用ＬＥＤを点灯させて照明させているにもかかわらず、電流制限抵抗により両ＬＥＤは通電状態では両ＬＥＤが点灯可能な同一の電流によって常時点灯可能であり、消費電力は、従来の非動作状態においてＬＣＤ表示の照明を消灯さてＡＣ電源通電認識用ＬＥＤのみを点灯させているのと同一であり、非常に有効なものである
【図面の簡単な説明】
【図１】本発明の第１の実施の形態による表示装置の一部ブロックで示す回路図
【図２】同を採用した機器の外観斜視図
【図３】同ＬＣＤ表示器とそのバック照明用ランプハウス部分の透視した斜視図
【図４】本発明の第２の実施の形態における表示装置の回路図
【符号の説明】
１  機器
２  商用ＡＣ電源
６  ＡＣ電源通電認識手段の表示用ＬＥＤ
７  ＬＣＤ表示器照明用ＬＥＤ
１０  ＬＣＤ表示器照明用ランプ
１２  マイコン
１４  ＬＣＤ表示器
【図１】
0003610727.tif 000002
【図２】
0003610727.tif 000003
【図３】
0003610727.tif 000004
【図４】
0003610727.tif 000005